(57)【要約】【課題】ドア開口部近傍での雨による不具合を解消することができる雨避け装置を提供する。【解決手段】スライドドア１２の開方向Ｏへのスライドに連動して展開される骨格部２３に雨避け２４が設け、スライドドア１２を全開位置２２へ移動した際にドア開口部１１外側の上部空間に雨避け２４を展開できるように構成する。スライドドア１２の閉作動に連動して骨格部２３を折り畳むと、雨避け２４が福祉車両２のルーフ３１上で折り畳まれるように構成する。【選択図】図１
2007216744.tif 000002
【特許請求の範囲】
【請求項１】
ドア開口部がスライドドアで開閉される車両において、
前記スライドドアを開方向にスライドして前記ドア開口部を開放する際に、前記スライドドアの開作動に連動して前記ドア開口部外側の上部空間に雨避けを展開することを特徴とした雨避け装置。
【請求項２】
前記ドア開口部を閉鎖したドア閉位置へ前記スライドドアを移動する際に折り畳まれ、前記ドア開口部を開放したドア開位置へ前記スライドドアを移動する際に展開される骨格部に、前記雨避けを設けたことを特徴とする請求項１記載の雨避け装置。
【請求項３】
前記ドア開口部の上部に基端部が回動自在に支持された回動リンクを、前記スライドドアの上縁部に回動かつスライド自在に保持し、前記スライドドアを前記ドア閉位置へ移動した際に前記回動リンクが車体に沿って延在する一方、前記スライドドアを前記ドア開位置へ移動した際に前記回動リンクが車両側方へ向けて延出するように前記車体への前記回動リンクの支持点を設定するとともに、前記雨避けを前記車体と前記回動リンクとの間に設けたことを特徴とする請求項１又は２記載の雨避け装置。
【請求項４】
前記回動リンクを車両側方へ向けて延出した展開状態において前記車体と前記回動リンクとの間に配置される中間リンクの基端部を前記支持点に回動自在に支持し、当該中間リンクにスライダーを移動自在に設ける一方、
前記回動リンクを保持した前記スライドドアの保持点に一端部が回動自在に支持された第１サブリンクを前記スライダーに回動自在に支持するとともに、前記車体に一端部が回動自在に支持された第２サブリンクを前記スライダーに回動自在に支持したことを特徴とする請求項３記載の雨避け装置。
【発明の詳細な説明】
【技術分野】
【０００１】
本発明は、車両に設けられる雨避け装置に関する。
【背景技術】
【０００２】
従来、福祉車両には、回転シートや昇降シートが設けられている。
【０００３】
前記回転シートや前記昇降シートは、乗降時にシート本体を車室外まで移動できるように構成されており、乗降性の向上が図られている。
【発明の開示】
【発明が解決しようとする課題】
【０００４】
しかしながら、このような福祉車両にあっては、シート本体が車室外まで移動するため、雨天時には、シート本体や該シート本体に着座した着座者が雨に濡れてしまう。
【０００５】
このため、介護者が車室外で傘を差して待つ必要があった。
【０００６】
本発明は、このような従来の課題に鑑みてなされたものであり、ドア開口部近傍での雨による不具合を解消することができる雨避け装置を提供することを目的とするものである。
【課題を解決するための手段】
【０００７】
前記課題を解決するために本発明の請求項１の車両用シートにあっては、ドア開口部がスライドドアで開閉される車両において、前記スライドドアを開方向にスライドして前記ドア開口部を開放する際に、前記スライドドアの開作動に連動して前記ドア開口部外側の上部空間に雨避けを展開する。
【０００８】
すなわち、スライドドアを開方向にスライドしてドア開口部を開放すると、前記スライドドアの開作動に連動して前記ドア開口部外側の上部空間に雨避けが展開される。
【０００９】
このため、乗降時にシート本体が車室外まで移動される福祉車両であっても、シート本体や着座者が雨に濡れるといった不具合が防止される。
【００１０】
また、請求項２の車両シートにおいては、前記ドア開口部を閉鎖したドア閉位置へ前記スライドドアを移動する際に折り畳まれ、前記ドア開口部を開放したドア開位置へ前記スライドドアを移動する際に展開される骨格部に、前記雨避けを設けた。
【００１１】
すなわち、前記スライドドアをドア開位置へ移動すると骨格部が展開され、該骨格部に設けられた雨避けが展開される。また、前記スライドドアをドア閉位置へ移動すると、前記骨格部が折り畳まれ、該骨格部に設けられた前記雨避けが折り畳まれる。
【００１２】
このように、前記骨格部に支持された前記雨避けは、前記スライドドアの移動に伴って展開又は折り畳まれる。
【００１３】
さらに、請求項３の車両用シートでは、前記ドア開口部の上部に基端部が回動自在に支持された回動リンクを、前記スライドドアの上縁部に回動かつスライド自在に保持し、前記スライドドアを前記ドア閉位置へ移動した際に前記回動リンクが車体に沿って延在する一方、前記スライドドアを前記ドア開位置へ移動した際に前記回動リンクが車両側方へ向けて延出するように前記車体への前記回動リンクの支持点を設定するとともに、前記雨避けを前記車体と前記回動リンクとの間に設けた。
【００１４】
すなわち、前記スライドドアをドア閉位置からドア開位置へ移動すると、車体に沿って配置された回動リンクは、車両側方へ向けて延出するように回動される。このとき、前記回動リンクと車体との間には、前記雨避けが設けられており、該雨避けは、車両側方へ延出した前記回動リンクと前記車体との間に張設される。
【００１５】
一方、前記スライドドアをドア開位置からドア閉位置へ移動すると、車両側方へ向けて延出された前記回動リンクは、車体側へ回動され該車体に沿って配置される。これにより、前記車体と前記回動リンクとの間に設けられた前記雨避けは、前記回動リンクの前記車体側への移動に伴って折り畳まれる。
【００１６】
加えて、請求項４の車両用シートにあっては、前記回動リンクを車両側方へ向けて延出した展開状態において前記車体と前記回動リンクとの間に配置される中間リンクの基端部を前記支持点に回動自在に支持し、当該中間リンクにスライダーを移動自在に設ける一方、前記回動リンクを保持した前記スライドドアの保持点に一端部が回動自在に支持された第１サブリンクを前記スライダーに回動自在に支持するとともに、前記車体に一端部が回動自在に支持された第２サブリンクを前記スライダーに回動自在に支持した。
【００１７】
すなわち、前記回動リンクを車両側方へ向けて延出した展開状態において、前記車体と前記回動リンクとの間には、中間リンクが配置される。これにより、前記車体と前記回動リンクとの間に設けられた前記雨避けは、その中間部が前記中間リンクによって支持される。
【００１８】
また、この中間リンクは、第１サブリンクを介して前記スライドドアに支持されるとともに、第２サブリンクを介して車体に支持される。
【発明の効果】
【００１９】
以上説明したように本発明の請求項１の車両用シートにあっては、スライドドアを開方向にスライドしてドア開口部を開放することにより、前記スライドドアの開作動に連動して前記ドア開口部外側の上部空間に雨避けを展開することができる。
【００２０】
このため、乗降時にシート本体が車室外まで移動される福祉車両であっても、シート本体や着座者が雨に濡れるといった不具合を防止することができる。これにより、介護者が車室外で傘を差して待つといった作業が不要となり、介護者の負担を軽減することができる。
【００２１】
一方、通常の車両においても、雨に濡れること無く、ドア開口部近傍の車室外位置で傘を開くことができる。このため、車室内空間で傘を開かなければならなかった従来と比較して、利便性が向上する。
【００２２】
また、請求項２の車両シートにおいては、前記スライドドアをドア開位置へ移動した際に展開される骨格部によって、スライドドア開時に前記雨避けを展開することができる。そして、前記スライドドアをドア閉位置へ移動した際に折り畳まれる前記骨格部によって、スライドドア閉時に前記雨避けを折り畳むことができる。
【００２３】
このように、前記骨格部に支持された前記雨避けを、前記スライドドアの移動に伴って展開又は折り畳むことができる。
【００２４】
さらに、請求項３の車両用シートでは、前記スライドドアをドア閉位置からドア開位置へ移動した際に、車両側方へ向けて延出するように回動される回動リンクによって、該回動リンクと車体との間に設けられた前記雨避けを展開することができる。
【００２５】
一方、前記スライドドアをドア開位置からドア閉位置へ移動する際に、車体側へ回動され、該車体に沿って配置される前記回動リンクによって、前記雨避けを折り畳むことができる。
【００２６】
加えて、請求項４の車両用シートにあっては、前記回動リンクを車両側方へ向けて延出した展開状態において、前記車体と前記回動リンクとの間に配置される中間リンクによって、前記雨避けの中間部を支持することができる。これにより、前記雨避けの中間部での弛みを防止することができる。
【００２７】
また、この中間リンクは、第１サブリンクを介して前記スライドドアに支持されるとともに、第２サブリンクを介して車体に支持されている。これにより、前記中間リンクを、前記車体と前記回動リンクとの間に配置することができる。
【発明を実施するための最良の形態】
【００２８】
以下、本発明の一実施の形態を図に従って説明する。図１は、本実施の形態にかかる雨避け装置１を示す図であり、該雨避け装置１を備えた福祉車両２の側部が示されている。
【００２９】
この福祉車両２の側部には、ドア開口部１１が設けられており、該ドア開口部１１は、車両側面に沿ってスライドされるスライドドア１２によって開閉されるように構成されている。前記福祉車両２には、乗降時にシートを前記ドア開口部１１を介して車室外まで移動する乗降補助装置が設けられており、シートに着座した着座者を車室内と車室外との間で移動できるように構成されている。
【００３０】
前記雨避け装置１は、図２の（ａ）から図２の（ｂ）に示すように、全閉位置２１にある前記スライドドア１２を車両後方ＲＲである開方向Ｏにスライドして前記ドア開口部１１を開放する際に、前記スライドドア１２の開作動に連動して展開されるとともに、図２の（ｃ）に示すように、全開位置２２において展開される骨格部２３を備えており、該骨格部２３に雨避け２４が設けられている。これにより、前記スライドドア１２を前記全開位置２２へ移動した際に、前記ドア開口部１１外側の上部空間に前記雨避け２４を展開するように構成されている。
【００３１】
また、前記スライドドア１２を車両前方ＦＲである閉方向Ｃにスライドして前記ドア開口部１１を閉鎖する際には、図２の（ｃ）から図２の（ｂ）に示すように、前記スライドドア１２の閉作動に連動して前記骨格部２３を折り畳むとともに、図２の（ａ）に示したように、全閉位置２１において前記骨格部２３を折り畳むように構成されている。これにより、前記骨格部２３に設けられた前記雨避け２４を当該福祉車両２のルーフ３１上で折り畳めるように構成されている。
【００３２】
前記骨格部２３は、図１に示したように、長尺状の車体側台座４１を備えており、該車体側台座４１は、前記ドア開口部１１の上縁部に延設されたルーフレール４２の部位に固定されている。該車体側台座４１の車両後方ＲＲ側を構成する基端部には、支持点を構成する台座基端側回転軸４３が設けられており、該台座基端側回転軸４３には、回動リンク４４の基端部に設けられた円形リング状の回転支持部４５が回動自在に支持されている。
【００３３】
前記スライドドア１２の上縁前端部には、ドア側台座５１が固定されており、該ドア側台座５１には、矩形状のブロック５２が回動自在に支持されてる。該ブロック５２には、円形の挿通穴５３が形成されており、該挿通穴５３には、円筒状のパイプで構成された前記回動リンク４４の先端部がスライド自在に挿入されている。該回動リンク４４が支持された前記台座基端側回転軸４３は、前記ドア開口部１１上縁の後端側に設定されており、前記回動リンク４４を回動かつスライド自在に支持する前記ドア側台座５１の前記ブロック５２は、前記スライドドア１２の前端部に設定されている。
【００３４】
これにより、前記スライドドア１２を前記全閉位置２１へ移動して前記骨格部２３を折り畳んだ折畳状態６１では、前記回動リンク４４を車体６２に沿って車両前方ＦＲへ向けて延在させる一方、前記スライドドア１２を前記全開位置２２へ移動して前記骨格部２３を展開した展開状態６３では、前記回動リンク４４が車両側方へ向けて延出するように構成されており、前記回動リンク４４と前記車体側台座４１とによってＶ字状に形成された前記骨格部２３の基本構造を、前記スライドドア１２の移動に伴って開閉できるように構成されている。
【００３５】
また、前記骨格部２３は、前記回動リンク４４を車両側方へ向けて延出した前記展開状態６３において、前記車体６２と前記回動リンク４４との間に配置される中間リンク７１を備えている。該中間リンク７１は、その基端部に円形リング状の回転支持部７２が設けられており、該回転支持部７２は、前記回動リンク４４の前記回転支持部４５の下部に配置された状態で、前記車体側台座４１の台座基端側回転軸４３に回動自在に支持されている。
【００３６】
この中間リンク７１も、円筒状のパイプ材で構成されており、当該中間リンク７１は、矩形状のスライダー８１の挿通穴８２をスライド自在に挿通している。前記スライダー８１の上面には、回転軸８３が突設されており、該回転軸８３には、第１サブリンク８４の基端部に設けられた円形リング状の回転支持部８５と、第２サブリンク８６の基端部に設けられた円形リング状の回転支持部８７とが積層された状態で各々回動自在に支持されている。
【００３７】
前記第１サブリンク８４の先端部にも、円形リング状の回転支持部９１が設けられており、この回転支持部９１は、前記スライドドア１２に設けられた前記ブロック５２上面の保持点を構成するスライドドア側回転軸９２に回動自在に支持されてる。また、前記第２サブリンク８６の先端部にも、円形リング状の回転支持部９３が設けられており、この回転支持部９３は、前記車体側台座４１の車両前方ＦＲ側に位置した台座先端側回転軸９４に回動自在に支持されている。これにより、前記中間リンク７１を、前記第１サブリンク８４を介して前記スライドドア１２に支持するとともに、前記第２サブリンク８６を介して車体６２に支持できるように構成されている。
【００３８】
この骨格部２３には、矩形シート状の前記雨避け２４が設けられており、該雨避け２４の四隅には、第１〜第４係止穴１０１〜１０４が設けられている。この雨避け２４に設けられた第１係止穴１０１は、前記車体側台座４１の車両前方ＦＲ側に設けられた前記台座先端側回転軸９４に固定ピン１１１によって係止されており、第２係止穴１０２は、前記車体側台座４１の車両後方ＲＲ側に設けられた前記台座基端側回転軸４３に、前述同様の固定ピンによって係止されている（図示省略）。
【００３９】
また、前記雨避け２４に設けられた第３係止穴１０３は、前記中間リンク７１の先端部に設けられた端部ブロック１２１に前述同様の固定ピンによって係止されており、第４係止穴１０４は、前記回動リンク４４の先端に設けられた端部ブロック１２２に前述同様の固定ピンによって係止されている（図示省略）。これにより、前記雨避け２４は、前記車体６２における前記ドア開口部１１の上縁部と、前記回動リンク４４との間に設けられている。
【００４０】
また、前記雨避け２４は、前記スライドドア１２の開動作に応じた前記骨格部２３の動作に応じて展開されるとともに、前記スライドドア１２の閉動作に応じた前記骨格部２３の動作に応じて折り畳まれるように構成されており、この折畳状態６１において、当該雨除け２４は、前記骨格部２３と共に当該福祉車両２のルーフ３１上に配置されるように構成されている。
【００４１】
以上の構成にかかる本実施の形態において、前記スライドドア１２を開方向Ｏにスライドして前記ドア開口部１１を開放すると、前記スライドドア１２の開作動に連動して前記ドア開口部１１外側の上部空間に雨避け２４を展開することができる。
【００４２】
このため、乗降時にシート本体が車室外まで移動される当該福祉車両２であっても、シート本体や着座者が雨に濡れるといった不具合を防止することができる。これにより、介護者が車室外で傘を差して待つといった作業が不要となり、介護者の負担を軽減することができる。
【００４３】
一方、通常の車両においても、雨に濡れること無く、ドア開口部１１近傍の車室外位置で傘を開くことができる。このため、車室内空間で傘を開かなければならなかった従来と比較して、利便性が向上する。
【００４４】
また、前記スライドドア１２を全開位置２２へ移動した際に展開される前記骨格部２３によって、スライドドア開時に前記雨避け２４を展開することができる。そして、前記スライドドア１２を全閉位置２１へ移動した際に折り畳まれる前記骨格部２３によって、スライドドア閉時に前記雨避け２４を折り畳むことができる。
【００４５】
このように、前記骨格部２３に支持された前記雨避け２４を、前記スライドドア１２の移動に伴って展開又は折り畳むことができる。
【００４６】
具体的に説明すると、前記スライドドア１２を全閉位置２１から全開位置２２へ移動すると、車体６２に沿って配置された前記骨格部２３の回動リンク４４が、車両側方へ向けて延出するように回動される。このとき、前記回動リンク４４と前記車体６２との間には、前記雨避け２４が設けられており、この雨避け２４を、車両側方へ延出した前記回動リンク４４と前記車体６２との間に張設することができる。
【００４７】
一方、前記スライドドア１２を前記全開位置２２から前記全閉位置２１へ移動すると、車両側方へ向けて延出された前記回動リンク４４が、車体６２側へ回動され該車体６２に沿って配置される。これにより、前記車体６２と前記回動リンク４４との間に設けられた前記雨避け２４を、前記回動リンク４４の前記車体６２側への移動に伴って折り畳むことができる。
【００４８】
また、前記回動リンク４４を車両側方へ向けて延出した展開状態６３において、前記車体６２と前記回動リンク４４との間には、中間リンク７１が配置されるように構成されている。このため、前記車体６２と前記回動リンク４４との間に設けられた前記雨避け２４の中間部分を、前記中間リンク７１によって支持することができる。これにより、前記雨避け２４の中間部での弛みを防止することができる。
【００４９】
また、この中間リンク７１は、第１サブリンク８４を介して前記スライドドア１２に支持されるとともに、第２サブリンク８６を介して前記車体６２に支持されている。このため、前記中間リンク７１が前記車体６２と前記回動リンク４４との間に配置された状態を維持することができる。
【図面の簡単な説明】
【００５０】
【図１】本発明の一実施の形態を示す斜視図である。
【図２】（ａ）から（ｃ）は、同実施の形態の動作を示す説明図である。
【符号の説明】
【００５１】
１    雨避け装置
２    福祉車両
１１    ドア開口部
１２    スライドドア
２１    全閉位置
２２    全閉位置
２３    骨格部
２４    雨避け
４３    台座基端側回転軸
４４    回動リンク
６１    折畳状態
６２    車体
７１    中間リンク
８１    スライダー
８４    第１サブリンク
８６    第２サブリンク
９２    スライドドア側回転軸
Ｃ    閉方向
Ｏ    開方向
【図１】
2007216744.tif 000003
【図２】
2007216744.tif 000004